(57)【要約】【課題】ハッカーがカメラをリモートコントロールしてプライバシーを覗き見ることを有効に防ぐことができるディスプレイ用プライバシー保護装置及びディスプレイスクリーン保護装置用支持部材を提供する。【解決手段】該ディスプレイ用プライバシー保護装置は、スクリーン保護装置（２０）及び前記スクリーン保護装置の周縁に設けられた支持部材（１０）を備え、前記支持部材（１０）におけるディスプレイカメラに対応する位置に貫通孔（１８）が開設され、前記貫通孔（１８）の隣に前記貫通孔（１８）を開閉可能な孔蓋（１５）が設けられる。カメラが使用されていないときは、前記孔蓋（１５）で前記貫通孔（１８）を閉鎖し、ディスプレイカメラのレンズを遮ることができる。これにより、ハッカーがカメラをリモートコントロールしてプライバシーを覗き見ることを有効に防ぐことができる。【選択図】図１
0003220547.tif 000002
【実用新案登録請求の範囲】
【請求項１】
スクリーン保護装置及び前記スクリーン保護装置の周縁に設けられた支持部材を備えるディスプレイ用プライバシー保護装置において、
前記支持部材におけるディスプレイカメラに対応する位置に貫通孔が開設され、前記貫通孔の隣に前記貫通孔を開閉可能な孔蓋が設けられることを特徴とするディスプレイ用プライバシー保護装置。
【請求項２】
前記支持部材は、対向して設けられた２つの長手形状の挟み板から構成され、前記スクリーン保護装置の周縁は前記２つの長手形状の挟み板の間に固定され、少なくとも１つの前記挟み板はマイクロ吸着貼付層を有することを特徴とする請求項１に記載のディスプレイ用プライバシー保護装置。
【請求項３】
少なくとも１つの前記挟み板は、マイクロ吸着材料からなる挟み板であることを特徴とする請求項２に記載のディスプレイ用プライバシー保護装置。
【請求項４】
前記スクリーン保護装置は、プライバシーフィルム、保護フィルム又はレンズであることを特徴とする請求項１に記載のディスプレイ用プライバシー保護装置。
【請求項５】
前記支持部材上の前記貫通孔の側に収容溝が開設され、前記孔蓋は、前記収容溝内に取り付けられ、前記貫通孔を閉鎖する位置にスライド可能であり、前記孔蓋には可動凸部が設けられ、前記可動凸部は前記支持部材上の滑り溝に突出することを特徴とする請求項１から４のいずれか１項に記載のディスプレイ用プライバシー保護装置。
【請求項６】
前記支持部材上の前記貫通孔の側に収容溝が開設され、前記収容溝と前記貫通孔との間の位置には取付ピンが設けられ、前記孔蓋は前記取付ピンに偏心して取り付けられ、前記取付ピンの周りを回ることにより、前記収容溝内または前記貫通孔を閉鎖する位置に収容可能であり、前記孔蓋には可動凸部が設けられ、前記可動凸部は前記支持部材上の滑り溝に突出することを特徴とする請求項１から４のいずれか１項に記載のディスプレイ用プライバシー保護装置。
【請求項７】
ディスプレイスクリーン保護装置用支持部材であって、前記支持部材は、対向して設けられた２つの長手形状の挟み板から構成され、少なくとも１つの前記挟み板はマイクロ吸着貼付層を有し、前記支持部材におけるディスプレイカメラに対応する位置に貫通孔が開設され、前記貫通孔の隣に前記貫通孔を開閉可能な孔蓋が設けられることを特徴とするディスプレイスクリーン保護装置用支持部材。
【請求項８】
少なくとも１つの前記挟み板はマイクロ吸着材料からなる挟み板であることを特徴とする請求項７に記載のディスプレイスクリーン保護装置用支持部材。
【請求項９】
前記支持部材上の前記貫通孔の側に収容溝が開設され、前記孔蓋は、前記収容溝内に取り付けられ、前記貫通孔を閉鎖する位置にスライド可能であり、前記孔蓋には可動凸部が設けられ、前記可動凸部は前記支持部材における滑り溝に突出することを特徴とする請求項７又は８に記載のディスプレイスクリーン保護装置用支持部材。
【請求項１０】
前記支持部材の前記貫通孔の側に収容溝が開設され、前記収容溝と前記貫通孔との間の位置には取付ピンが設けられ、前記孔蓋は前記取付ピンに偏心して取り付けられ、前記取付ピンの周りを回ることにより前記収容溝内または前記貫通孔を閉鎖する位置に収容可能であり、前記孔蓋には可動凸部が設けられ、前記可動凸部は前記支持部材における滑り溝に突出することを特徴とする請求項７又は８に記載のディスプレイスクリーン保護装置用支持部材。
【考案の詳細な説明】
【技術分野】
【０００１】
本考案は、ディスプレイ周辺機器に関し、より具体的には、ディスプレイ用プライバシー保護装置、及びディスプレイスクリーン保護装置用支持部材に関する。
【背景技術】
【０００２】
プライバシーフィルムは、プラスチック材料製の半硬質薄膜であり、厚さが約０.０５ｍｍ〜５ｍｍであり、主にディスプレイの視角範囲を狭くすることにより、画面に表示された情報を周囲の人に覗かれることを避け、個人のプライバシー及び営業秘密を保護するように作用しており、ラップトップに使用されることが多い。
【０００３】
プライバシーフィルムを用いることにより、画面に表示された情報を周囲の人に覗かれることを有効に防ぐことができる。しかし、カメラが搭載されたディスプレイ（例えば、ラップトップ）の場合、コンピューターのカメラがリモートコントロールによってハッカーに起動される恐れがあるため、プライバシー漏洩のリスクがある。
【０００４】
また、従来のディスプレイ用プライバシーフィルムは、通常、貼り付けること又は引掛けることによりプライバシーフィルムをディスプレイの前側に固定して取り付けている。しかし、貼付による固定では、繰り返し使用すると粘着性が低下し、且つディスプレイ枠に付着した接着剤を取り除くことが困難である等の問題がある。一方、引掛ける方法の場合、美観を害し、固定が不安定であるなどの問題がある。
【考案の概要】
【０００５】
本考案の一つの目的は、従来技術に存在する前記の問題の少なくとも１つを解決したディスプレイ用プライバシー保護装置を提供することである
【０００６】
前記の目的を達成するために、本考案は以下の技術案を採用する。
スクリーン保護装置及び前記スクリーン保護装置の周縁に設けられた支持部材を備え、前記支持部材におけるディスプレイカメラに対応する位置に貫通孔が開設され、前記貫通孔の隣に前記貫通孔を開閉可能な孔蓋が設けられるディスプレイ用プライバシー保護装置。
【０００７】
前記ディスプレイ用プライバシー保護装置において、好ましくは、前記支持部材は、対向して設けられた２つの長手形状の挟み板から構成され、前記スクリーン保護装置の周縁は前記２つの長手形状の挟み板の間に固定され、少なくとも１つの前記挟み板はマイクロ吸着貼付層を有する。
【０００８】
前記ディスプレイ用プライバシー保護装置において、好ましくは、少なくとも１つの前記挟み板はマイクロ吸着材料からなる挟み板である。
【０００９】
前記ディスプレイ用プライバシー保護装置において、好ましくは、前記スクリーン保護装置は、プライバシーフィルム、保護フィルム又はレンズである。
【００１０】
前記ディスプレイ用プライバシー保護装置において、好ましくは、前記支持部材上の前記貫通孔の側に収容溝が開設され、前記孔蓋は、前記収容溝内に取り付けられ、前記貫通孔を閉鎖する位置にスライドすることができ、前記孔蓋に可動凸部が設けられ、前記可動凸部は支持部材上の滑り溝に突出する。
【００１１】
前記ディスプレイ用プライバシー保護装置において、好ましくは、前記支持部材の前記貫通孔の側に収容溝が開設され、前記収容溝と前記貫通孔との間の位置に取付ピンが設けられ、前記孔蓋は、前記取付ピンに偏心して取り付けられ、前記取付ピンの周りを回ることにより前記収容溝内または前記貫通孔を閉鎖する位置に収納可能であり、前記孔蓋には可動凸部が設けられ、前記可動凸部は支持部材上の滑り溝に突出する。
【００１２】
本考案は、ディスプレイスクリーン保護装置用支持部材をさらに提供する。前記支持部材は、対向して設けられた２つの長手形状の挟み板から構成され、少なくとも１つの前記挟み板はマイクロ吸着貼付層を有し、前記支持部材におけるディスプレイカメラに対応する位置に貫通孔が開設され、前記貫通孔の隣に前記貫通孔を開閉可能な孔蓋が設けられる。
【００１３】
前記ディスプレイスクリーン保護装置用支持部材において、好ましくは、少なくとも１つの前記挟み板はマイクロ吸着材料からなる挟み板である。
【００１４】
前記ディスプレイスクリーン保護装置用支持部材において、好ましくは、前記支持部材上の前記貫通孔の側に収容溝が開設され、前記孔蓋は、前記収容溝内に取り付けられ、前記貫通孔を閉鎖する位置にスライド可能であり、前記孔蓋には可動凸部が設けられ、前記可動凸部は支持部材上の滑り溝に突出する。
【００１５】
前記ディスプレイスクリーン保護装置用支持部材において、好ましくは、前記支持部材上の前記貫通孔の側に収容溝が開設され、前記収容溝と前記貫通孔との間の位置に取付ピンが設けられ、前記孔蓋は、前記取付ピンに偏心して取り付けられ、前記取付ピンの周りを回ることにより前記収容溝内または前記貫通孔を閉鎖する位置に収容可能であり、前記孔蓋には可動凸部が設けられ、前記可動凸部は支持部材上の滑り溝に突出する。
【００１６】
本考案は、従来技術に比べて、少なくとも以下の有益な効果を有する。
【００１７】
スクリーン保護装置の支持部材上に前記貫通孔及び前記孔蓋が設けられることで、カメラが使用されていないときは、前記孔蓋で前記貫通孔を閉鎖してカメラのレンズを遮ることができる。これにより、ハッカーがカメラをリモートコントロールしてプライバシーを覗き見ることを有効に防ぐことができる。
【図面の簡単な説明】
【００１８】
【図１】第１実施例に係るディスプレイ用プライバシー保護装置の構造模式図である。
【図２】第１実施例における支持部材の構造模式図である。
【図３】図１のA部分の拡大図である。
【図４】第２実施例における支持部材の構造模式図である。
【図５】第３実施例における貫通孔及び孔蓋の構造模式図である。
【考案を実施するための形態】
【００１９】
以下、図面及び実施例を参照しながら本考案をさらに説明する。
【００２０】
図１に示すように、第１の実施例に係るディスプレイ用プライバシー保護装置は、スクリーン保護装置２０及び前記スクリーン保護装置２０の周縁に設けられた支持部材１０を含む。前記支持部材１０におけるディスプレイカメラに対応する位置には貫通孔１８が開設され、前記貫通孔１８の隣には前記貫通孔１８を開閉可能な孔蓋１５が設けられる。ここで、スクリーン保護装置２０はプライバシーフィルムである。
【００２１】
使用時において、支持部材１０は、ディスプレイの枠に結合される。プライバシーフィルムをディスプレイの前側に支持し、ディスプレイの視角範囲を狭くすることにより、画面に表示された情報を周囲の人に覗かれることを防ぎ、個人のプライバシー及び営業秘密を保護するという目的が達成される。また、支持部材１０は、前記孔蓋１５をディスプレイカメラの位置に支持し、カメラが使用されていないときは、前記孔蓋１５を動かして前記貫通孔１８を閉鎖することでカメラのレンズを遮ることができる。これにより、ハッカーがカメラをリモートコントロールしてプライバシーを覗き見ることを有効に防ぐことができる。
【００２２】
図２に示すように、前記支持部材１０は、対向して設けられた２つの長手形状の挟み板１１、１２から構成され、前記スクリーン保護装置２０（プライバシーフィルム）の周縁は前記２つの長手形状の挟み板１１、１２の間に固定される。１つの前記挟み板１２はマイクロ吸着貼付層１３を有する。使用中、支持部材１０はマイクロ吸着貼付層１３によりディスプレイの枠に貼り付けられる。マイクロ吸着材料は滑らかな表面に吸着し、且つ無限に繰り返し使用することが可能であり、使用寿命が長いという特徴を有している。マイクロ吸着材料を用いることで、プライバシーフィルムをディスプレイの前側に平坦に固定させることができるとともに、使用寿命が長く、またディスプレイの枠にはしみが残らない。
【００２３】
図３に示すように、前記支持部材１０における前記貫通孔１８の側には収容溝１４が開設されている。前記孔蓋１５は前記収容溝１４内に取り付けられ、前記貫通孔１８を閉鎖する位置にスライドすることができる。前記孔蓋１５には可動凸部１５１が設けられ、前記可動凸部１５１は支持部材１０における滑り溝１６に突出する。可動凸部１５１を介して前記孔蓋１５を左右にスライドすることにより、前記貫通孔１８を開閉することができ、ディスプレイのカメラを露出／遮断することができる。
【００２４】
第２の実施例においては、別の構造の支持部材１０が用いられる。具体的には、図４に示すように、第２の実施例における支持部材１０は、対向して設けられた２つの長手形状の挟み板１１、１２から構成され、前記スクリーン保護装置２０（プライバシーフィルム）の周縁は前記２つの長手形状の挟み板１１、１２の間に固定される。１つの前記挟み板１２はマイクロ吸着材料からなる挟み板である。もう１つの挟み板１１は装飾板として用いられ、マイクロ吸着材料であってもよいが、他の材料を用いて構成されていてもよい。使用中、前記挟み板１２により支持部材１０をディスプレイの枠に直接貼り付けることができる。
【００２５】
前記２つの実施例は、いずれもマイクロ吸着材料により支持部材とディスプレイの枠とを結合する。他の実施例として、支持部材にフックを設けて、フックをディスプレイの上端に引掛けることにより支持部材１０をディスプレイに固定してもよい。また、磁気吸引又は他の既存の結合方法を使用してもよい。
【００２６】
第３の実施例においては、他の孔蓋の取付構造が用いられる。図５に示すように、前記支持部材１０上の前記貫通孔１８の側に収容溝１４が開設されている。前記収容溝１４と前記貫通孔１８との間の位置には取付ピン１７が設けられる。前記孔蓋１５は、前記取付ピン１７に偏心して取り付けられ、前記取付ピンの周りを回ることにより前記収容溝１４内または前記貫通孔１８を閉鎖する位置に収容可能である。前記孔蓋１５には可動凸部１５１が設けられ、前記可動凸部１５１は支持部材１０における滑り溝１６に突出する。可動凸部１５１により、前記孔蓋１５を取付ピン１７の周りを回るように動かすことで、前記貫通孔１８を開閉することができ、これにより、ディスプレイのカメラを露出／遮断することができる。
【００２７】
さらに、他の実施例においては、スクリーン保護装置２０は、様々な保護フィルム又はレンズを用いてもよく、例えば放射線を遮断する保護フィルム又はレンズ等であってもよい。
【００２８】
以上、具体的な実施例により本考案を詳しく説明したが、以上の説明は当業者が本考案の内容を理解するのを助けるためのものに過ぎず、本考案の保護範囲を制限するものではない。当業者が本考案の思想に基づいて行う改良、同様の効果を持つ変更等は本考案の保護範囲に含まれるものとする。
【図１】
0003220547.tif 000003
【図２】
0003220547.tif 000004
【図３】
0003220547.tif 000005
【図４】
0003220547.tif 000006
【図５】
0003220547.tif 000007